(57)【要約】      （修正有）【課題】警報ブザーを鳴らして警報ランプを点灯させることにより、高所から転落した作業者の状況を近くにいる人に知らせ、作業者の安全を確保する安全帯の警報装置を提供する。【解決手段】安全帯１は、２つの連結端部１１，１２を有する。一方の連結端部１１，１２は、作業服４に接続され、他方の連結端部１１，１２には、弾性フック５が取り付けられる。２つの連結端部１１，１２の間には、安全補強帯２が接続される。安全帯１の２つの連結端部１１，１２の間に設けられた警報装置３は、本体３１及び安全ピン３２を有する。本体３１と安全ピン３２とは、互いに対応するように安全帯１の２つの連結端部１１，１２にそれぞれ設けられる。本体３１内には、警報ブザー装置及び警報ランプが配置される。本体３１から安全ピン３２が外れると、警報ブザーが鳴るとともに警報ランプが点灯する。【選択図】図１
0003168686.tif 000002
【実用新案登録請求の範囲】
【請求項１】
安全帯の警報装置であって、
安全帯は、２つの連結端部を有し、一方の前記連結端部は、作業服に接続され、他方の前記連結端部には、弾性フックが取り付けられ、２つの前記連結端部の間には、安全補強帯が接続され、
前記安全帯の２つの前記連結端部の間に設けられた警報装置は、本体及び安全ピンを有し、
前記本体と前記安全ピンとは、互いに対応するように前記安全帯の２つの前記連結端部にそれぞれ設けられ、
前記本体内には、警報ブザー装置及び警報ランプが配置され、
前記本体から前記安全ピンが外れると、警報ブザーが鳴るとともに警報ランプが点灯することを特徴とする安全帯の警報装置。
【請求項２】
前記本体は、前記作業服に接続された前記連結端部に固定され、
前記安全ピンは、前記弾性フックが取り付けられた前記連結端部に固定されることを特徴とする請求項１に記載の安全帯の警報装置。
【請求項３】
前記安全ピンは、前記作業服に接続された前記連結端部に固定され、
前記本体は、前記弾性フックが取り付けられた前記連結端部に固定されることを特徴とする請求項１に記載の安全帯の警報装置。
【考案の詳細な説明】
【技術分野】
【０００１】
本考案は、安全帯の警報装置に関し、特に、高所作業者の安全対策のための警報構造であり、安全作業服の安全帯に取り付けられ、警報ブザーを鳴らして警報ランプを点灯させることにより、高所から転落したことを近くにいる人に知らせ、作業者の安全を確保する安全帯の警報装置に関する。
【背景技術】
【０００２】
一般に、高所作業者は、作業の安全性を高めるために、安全作業服を着用し、安全作業服に繋がれたロープを安全かつ堅牢な固定物（例えば、壁面、建枠など）に固定する。これにより、高所作業者は、足場を踏み外しても、ロープにより直接地面に転落することはないが、転落した際に作業者がロープの引張力により受ける衝撃は大きい。例えば、作業者が落下したときに受ける衝撃荷重は、実験結果によると、緩衝装置が取り付けられていない場合、体重８５キログラムの人が１．４ｍ転落した場合、人体に加わる荷重は１７６８キログラムであり、１．５ｍ転落した場合、人体に加わる荷重は１９１８．５キログラムであり、１．６ｍ転落した場合、人体に加わる荷重は１９７４キログラムであった。そのため、作業者が高所から転落すると負傷する虞がある。
【０００３】
上述の実験結果から分かるように、緩衝装置が取り付けられていない作業者が転落した場合、大きな衝撃荷重を受けるため、負傷（例えば、鞭打ち症、骨折など）したりしやすい。そのため、ロープの引張力により、高所から転落した際に作業者に加わる衝撃を軽減させるために、クッションが設けられた作業服が案出されている。このクッションは、一方の端部が安全作業服に接続され、他方の端部が、ロープに接続されている。このクッションは、衝撃を緩和させるために、引っ張られると破断する特性を有する緩衝材を内部に有する。ヨーロッパの安全規格では、このクッションの緩衝性能は、体重８５キログラムの者が転落したときに、人体に加わる衝撃荷重が４００キログラム以下でなければならない。そのため、この従来のクッションが、安全基準を満たすためには、緩衝材を増やす必要があるが、そうするとクッション全体のサイズが増大し、高所作業者にとって作業が不便となるため、理想的ではない。
【０００４】
従来技術の欠点を改善するために、例えば、特許文献１に示すような緩衝構造が開発されている。この特許文献１は、クッションに縫着された緩衝用の縫着糸により、体積の小さいクッションでも好ましい緩衝効果を得ることができる上、ユーザの作業にも支障をきたさない。さらに、安全作業服には、着用したユーザが転落したとき、負傷（例えば、鞭打ち症、骨折など）することを防ぐために、腰部緩衝部材、背部緩衝部材及びクッションの３種類の緩衝構造が用いられ、安全作業服を着用しているユーザの体に加わる衝撃荷重を緩和する効果を得ることができる。このような安全性及び利便性を備えた構造により、作業者が、高所から不注意により転落しても、クッションにより転落の速度及び衝撃荷重を軽減し、死亡することを防ぐことができるが、瞬間的な衝撃による眩暈、ショック、怪我などをして作業者が高所に引っ掛かった場合、自分から救助を求めることができずに誰にも気づかれないことがある。もしそのまま誰にも気づかれずに救助されない場合、転落した作業者は、体温が下がったり大量出血して危険な状態になる虞がある。
【先行技術文献】
【特許文献】
【０００５】
【特許文献１】台湾実用新案登録第３８２７３３号公報
【考案の概要】
【考案が解決しようとする課題】
【０００６】
本考案の目的は、高所作業者の安全を確保するために、安全作業服の安全帯に取り付けられた警報ブザーを鳴らして警報ランプを点灯させることにより、高所から転落した作業者がいることを近くにいる人に知らせることができる安全帯の警報装置を提供することにある。
【課題を解決するための手段】
【０００７】
上記課題を解決するために、本考案の第１の形態によれば、安全帯は、２つの連結端部を有し、一方の前記連結端部は、作業服に接続され、他方の前記連結端部には、弾性フックが取り付けられ、２つの前記連結端部の間には、安全補強帯が接続され、前記安全帯の２つの前記連結端部の間に設けられた警報装置は、本体及び安全ピンを有し、前記本体と前記安全ピンとは、互いに対応するように前記安全帯の２つの前記連結端部にそれぞれ設けられ、前記本体内には、警報ブザー装置及び警報ランプが配置され、前記本体から前記安全ピンが外れると、警報ブザーが鳴るとともに警報ランプが点灯することを特徴とする安全帯の警報装置が提供される。
【０００８】
また、前記本体は、前記作業服に接続された前記連結端部に固定され、前記安全ピンは、前記弾性フックが取り付けられた前記連結端部に固定されることが好ましい。
【０００９】
また、前記安全ピンは、前記作業服に接続された前記連結端部に固定され、前記本体は、前記弾性フックが取り付けられた前記連結端部に固定されることが好ましい。
【考案の効果】
【００１０】
本考案の安全帯の警報装置は、以下（１）及び（２）の効果を有する。
（１）警報ブザーを鳴らすことにより、作業者が高所から転落したことを近くにいる人に知らせ、近くにいる人が救急措置を行うことにより、作業者の安全を確保することができる。
（２）警報ランプを点灯させることにより、高所作業者の転落した場所を近くにいる人に知らせ、近くにいる人は救急措置を行うことにより、作業者の安全を確保することができる。
【図面の簡単な説明】
【００１１】
【図１】本考案の一実施形態による安全帯の警報装置を作業着に取り付けたときの状態を示す正面図である。
【図２】本考案の一実施形態による安全帯の警報装置を示す正面図である。
【図３】本考案の一実施形態による安全帯の警報装置を示す断面図である。
【図４】本考案の一実施形態による安全帯の警報装置の安全ピンが外れたときの状態を示す断面図である。
【図５】本考案の一実施形態による安全帯の警報装置の安全補強帯が破断したときの状態を示す側面図である。
【図６】本考案の一実施形態による安全帯により作業者が吊り下げられているときの状態を示す模式図である。
【考案を実施するための形態】
【００１２】
図１〜図４を参照する。図１〜図４に示すように、本考案の一実施形態による安全帯の警報装置は、少なくとも安全帯１、安全補強帯２及び警報装置３から構成される。
【００１３】
安全帯１は、２つの連結端部１１，１２を有する。連結端部１１は、作業服４に接続されている。連結端部１２には、弾性フック５が取り付けられている。
【００１４】
安全補強帯２は、連結端部１１と連結端部１２との間に接続された帯体から構成される。この帯体は、折り返して重ねられ、ステッチを有する端面に、補強のための縫着糸が縫着され、帯体が破断するときの衝撃を緩和することができる。
【００１５】
警報装置３は、本体３１及び安全ピン３２を有する。本体３１と安全ピン３２とは、安全帯１の２つの連結端部１１，１２にそれぞれ設けられる。本体３１内には、本体３１から安全ピン３２が外れた際、警報ブザーを鳴らす警報ブザー装置３１１と、警報ランプを点灯する警報ランプ３１２と、が設けられている。
【００１６】
図１〜図６を参照する。図１〜図６に示すように、本考案の一実施形態による安全帯の警報装置が取り付けられた作業服を高所作業者が着用する際、安全帯１の２つの連結端部のうちの一方の連結端部１１は、作業服４の背部に設けられた連結具４１に接続され、他方の連結端部１２には、弾性フック５が取り付けられる。弾性フック５は、手すり、作業エリアの安全バーなどに掛着させることができる。連結端部１１と連結端部１２との間には、安全補強帯２が設けられる。安全補強帯２は、折り返して重ねられ、端面に補強用ステッチが縫着されている。また、安全帯１の２つの連結端部１１，１２には、警報装置３が設けられている。警報装置３が有する本体３１及び安全ピン３２は、連結端部１１，１２にそれぞれ接続されている。作業服４に接続された一方の連結端部１１に、本体３１が固定され、弾性フック５が取り付けられた他方の連結端部１２に、安全ピン３２が固定されたり、作業服４に接続された一方の連結端部１１に、安全ピン３２が固定され、弾性フック５が取り付けられた他方の連結端部１２に、本体３１が固定されたりしてもよい。
【００１７】
仮に高所作業者が、足場を踏み外したりその他の理由により転落した場合、安全帯１及び安全補強帯２により、衝撃荷重及び転落の速度が緩和され、安全補強帯２の補強用ステッチにより、安全補強帯２が破断する衝撃を緩和させることができる（しかしこれは本考案の技術内容ではないため、ここでは詳説しない）。作業者が転落すると、連結端部１１と連結端部１２との間に設けられた安全補強帯２が破断し、連結端部１１と連結端部１２とが分離されることにより、本体３１から警報装置３の安全ピン３２が外れ、本体３１の警報ブザー装置３１１により警報ブザーが鳴り、警報ランプ３１２により警報ランプが点灯する。これにより作業者が高所から転落したことと、転落者の位置とを近くにいる人に知らせることができる。そのため、近くにいる人は迅速に転落者の救急措置を行うことが可能となり、作業者の安全が確保される。
【００１８】
上述したことから分かるように、本考案の安全帯の警報装置は、以下（１）及び（２）の効果を有する。
（１）警報ブザーを鳴らすことにより、作業者が高所から転落したことを近くにいる人に知らせ、近くにいる人が迅速に救急措置を行うことが可能であるため、作業者の安全を確保することができる。
（２）警報ランプを点灯させることにより、高所作業者の転落した場所を近くにいる人に知らせ、近くにいる人が迅速に救急措置を行うことが可能であるため、作業者の安全を確保することができる。
【００１９】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２０】
１  安全帯
２  安全補強帯
３  警報装置
４  作業服
５  弾性フック
１１  連結端部
１２  連結端部
３１  本体
３２  安全ピン
４１  連結具
３１１  警報ブザー装置
３１２  警報ランプ
【図１】
0003168686.tif 000003
【図２】
0003168686.tif 000004
【図３】
0003168686.tif 000005
【図４】
0003168686.tif 000006
【図５】
0003168686.tif 000007
【図６】
0003168686.tif 000008